(57)【特許請求の範囲】
【請求項１】
サッシに取り付けられるベース部と、
前記ベース部から片持ち状に延設されたアーム部と、
前記アーム部の前端部に連設され、日除けが吊り下げられるフック部と、
前記フック部との間に前記日除けの挿入口を形成するとともに、前記挿入口を開閉可能に変形するストッパ部と、を備え、
前記ストッパ部は、弾性変形可能とされるとともに、前記挿入口を閉塞する閉位置に向けて付勢され、
前記フック部は、
前記アーム部の前端部から下方に延設された下方延設部と、
前記下方延設部の後方で上方に向けて延びる立ち上がり部と、
前記下方延設部と前記立ち上がり部との間で前記立ち上がり部よりも下方に窪むとともに、前記日除けの位置決めを行う保持凹部と、を備え、
前記立ち上がり部は、前記保持凹部から後方、かつ上方に向けて延在していることを特徴とする日除け吊り具。
【請求項２】
サッシに取り付けられるベース部と、
前記ベース部から片持ち状に延設されたアーム部と、
前記アーム部の前端部に連設され、日除けが吊り下げられるフック部と、
前記フック部との間に前記日除けの挿入口を形成するとともに、前記挿入口を開閉可能に変形するストッパ部と、を備え、
前記ストッパ部は、弾性変形可能とされるとともに、前記挿入口を閉塞する閉位置に向けて付勢され、
前記フック部は、
前記アーム部の前端部から下方に延設された下方延設部と、
前記下方延設部の下端縁から後方に直線状に延設された後方延設部と、
前記後方延設部の後端縁から上方に延びる立ち上がり部と、を備え、
前記立ち上がり部は、後方に向かうに従い上方に向けて傾斜して延在した後、さらに上方に向けて延在していることを特徴とする日除け吊り具。
【請求項３】
前記フック部には、前記日除けの前記挿入口側への移動を規制する突起部が配設されていることを特徴とする請求項１又は請求項２記載の日除け吊り具。
【請求項４】
前記フック部における前記日除けを支持する支持面には、滑り止め部材が配設されていることを特徴とする請求項１から請求項３の何れか１項に記載の日除け吊り具。
【請求項５】
前記ストッパ部は、前記アーム部から前記立ち上がり部の上端部に向けて片持ちで延在している請求項１から請求項４の何れか１項に記載の日除け吊り具。
【請求項６】
前記ストッパ部は、閉位置において前記フック部に係合可能とされていることを特徴とする請求項５に記載の日除け吊り具。
【発明の詳細な説明】
【技術分野】
【０００１】
本発明は、日除け吊り具に関する。
【背景技術】
【０００２】
従来から、簾やタープ等の日除けを吊り下げる日除け吊り具が知られている。この種の日除け吊り具は、サッシに取り付けられるベース部と、ベース部から片持ち状に延設されたアーム部と、アーム部に連設されて日除けが吊り下げられるフック部と、を備えている（例えば、下記特許文献１参照）。
【０００３】
ところで、上述した日除け吊り具では、日除けが強風等で煽られた場合に、日除けがフック部から脱落するのを抑制するために、アーム部に連設された前後一対のフック部間を架け渡す架橋部材を備える構成が知られている（例えば、下記特許文献２参照）。
この構成によれば、日除けが強風等で煽られてフック部の先端部を乗り越えた場合であっても、日除けが架橋部材に引っ掛かったままの状態で日除け吊り具に保持されるので、日除けが脱落するのを抑制できるとされている。
【先行技術文献】
【特許文献】
【０００４】
【特許文献１】特許第４６０３１７４号公報
【特許文献２】特開２００２−１５９３９３号公報
【発明の概要】
【発明が解決しようとする課題】
【０００５】
しかしながら、上述した特許文献２の構成にあっては、架橋部材をフック部に装着する場合には、架橋部材の両端部に配設されたピンを、対応するフック部に形成された嵌合孔内にそれぞれ嵌合させる必要がある。そのため、構成が複雑になるとともに、着脱操作が煩雑であるという課題がある。
【０００６】
本発明は、上述した事情に鑑みてなされたものであって、構成の簡素化及び操作性の向上を図った上で、日除けの脱落を抑制できる日除け吊り具を提供することを目的とする。
【課題を解決するための手段】
【０００７】
上記課題を解決するために、本発明は以下の手段を提案している。
本発明に係る日除け吊り具は、サッシに取り付けられるベース部と、前記ベース部から片持ち状に延設されたアーム部と、前記アーム部の前端部に連設され、日除けが吊り下げられるフック部と、前記フック部との間に前記日除けの挿入口を形成するとともに、前記挿入口を開閉可能に変形するストッパ部と、を備え、前記ストッパ部は、弾性変形可能とされるとともに、前記挿入口を閉塞する閉位置に向けて付勢され、前記フック部は、前記アーム部の前端部から下方に延設された下方延設部と、前記下方延設部の後方で上方に向けて延びる立ち上がり部と、前記下方延設部と前記立ち上がり部との間で前記立ち上がり部よりも下方に窪むとともに、前記日除けの位置決めを行う保持凹部と、を備え、前記立ち上がり部は、前記保持凹部から後方、かつ上方に向けて延在していることを特徴とする。
【０００８】
この構成によれば、挿入口を開閉するストッパ部を備えているため、フック部から離脱する離脱方向への日除けの移動をストッパ部により規制できる。これにより、日除けが強風に煽られる等した場合であっても、日除けがフック部から脱落するのを抑制できる。
また、ストッパ部が挿入口を開閉可能に変形するため、従来のように日除けの着脱の度に架橋部材をフック部に着脱する構成に比べて構成の簡素化を図るとともに、着脱時の操作性を向上させることができる。
また、ストッパ部が閉位置に向けて付勢されているため、日除けを挿入口に向けて押し込むことで、ストッパ部が開位置に向けて弾性変形してストッパ部とフック部との間が押し広げられる。これにより、挿入口が開位置となり、フック部内に日除けを挿入できる。一方、日除けが挿入口を通過した後は、ストッパ部が自動的に閉位置に復元することになる。これにより、着脱時の操作性をより向上させることができる。
さらに、保持凹部内で日除けを保持することで、フック部内での日除けの位置決めを行うことができる。これにより、フック部での日除けのがたつきを抑制し、日除けの離脱方向への移動を未然に規制でき、日除けのフック部からの脱落を確実に抑制できる。
【０００９】
本発明に係る日除け吊り具は、サッシに取り付けられるベース部と、前記ベース部から片持ち状に延設されたアーム部と、前記アーム部の前端部に連設され、日除けが吊り下げられるフック部と、前記フック部との間に前記日除けの挿入口を形成するとともに、前記挿入口を開閉可能に変形するストッパ部と、を備え、前記ストッパ部は、弾性変形可能とされるとともに、前記挿入口を閉塞する閉位置に向けて付勢され、前記フック部は、前記アーム部の前端部から下方に延設された下方延設部と、前記下方延設部の下端縁から後方に直線状に延設された後方延設部と、前記後方延設部の後端縁から上方に延びる立ち上がり部と、を備え、前記立ち上がり部は、後方に向かうに従い上方に向けて傾斜して延在した後、さらに上方に向けて延在していることを特徴とする。
【００１０】
本発明に係る日除け吊り具において、前記フック部には、前記日除けの前記挿入口側への移動を規制する突起部が配設されていてもよい。
この構成によれば、日除けが強風に煽られる等してフック部から挿入口側（以下、離脱方向という）に移動した場合に、突起部に引っ掛かることで、日除けの離脱方向への移動が未然に規制される。これにより、日除けのフック部からの脱落を確実に抑制できる。
【００１１】
本発明に係る日除け吊り具において、前記フック部における前記日除けを支持する支持面には、滑り止め部材が配設されていてもよい。
この構成によれば、フック部内で日除けを移動し難くすることができるので、日除けの離脱方向への移動が未然に規制される。これにより、日除けのフック部からの脱落を確実に抑制できる。
【００１３】
本発明に係る日除け吊り具において、前記ストッパ部は、前記アーム部から前記立ち上がり部の上端部に向けて片持ちで延在していてもよい。
本発明に係る日除け吊り具において、前記ストッパ部は、閉位置において前記フック部に係合可能とされていてもよい。
この構成によれば、ストッパ部が閉位置においてフック部に係合されることで、ストッパ部が不意に開方向に変形するのを抑制できる。これにより、日除け部がフック部から脱落するのを確実に抑制できる。
【発明の効果】
【００１４】
本発明に係る日除け吊り具によれば、構成の簡素化及び操作性の向上を図った上で、日除けの脱落を抑制できる。
【図面の簡単な説明】
【００１５】
【図１】本発明の第１実施形態に係る日除け吊り具の斜視図である。
【図２】本発明の第１実施形態に係る日除け吊り具の断面図である。
【図３】本発明の第２実施形態に係る日除け吊り具の断面図である。
【図４】本発明の第２実施形態に係る日除け吊り具の部分断面図である。
【図５】本発明の第３実施形態に係る日除け吊り具の部分断面図である。
【図６】本発明の第３実施形態に係る日除け吊り具の部分断面図である。
【図７】本発明の第３実施形態に係る日除け吊り具の部分断面図である。
【図８】本発明の第４実施形態に係る日除け吊り具の部分断面図である。
【図９】本発明の第４実施形態に係る日除け吊り具の部分断面図である。
【図１０】本発明の第５実施形態に係る日除け吊り具の部分断面図である。
【図１１】本発明の第５実施形態に係る日除け吊り具の部分断面図である。
【図１２】本発明の第６実施形態に係る日除け吊り具の部分断面図である。
【図１３】本発明の第７実施形態に係る日除け吊り具の部分断面図である。
【図１４】本発明の第７実施形態に係る日除け吊り具の部分断面図である。
【図１５】本発明の第７実施形態に係る日除け吊り具の部分断面図である。
【図１６】実施形態の他の構成に係る日除け吊り具の部分断面図である。
【図１７】実施形態の他の構成に係る日除け吊り具の部分断面図である。
【発明を実施するための形態】
【００１６】
以下、図面を参照し、本発明の実施形態を説明する。
（第１実施形態）
［日除け吊り具］
図１は日除け吊り具の斜視図であり、図２は日除け吊り具の断面図である。
図１、図２に示すように、本実施形態の日除け吊り具１は、窓や網戸等のサッシＳに取り付けられ、簾やタープ等の日除けＷを吊り下げ支持するものであって、金属材料や樹脂材料により構成されている。なお、日除け吊り具１は、サッシＳのうち幅方向に間隔をあけて複数箇所に取り付けられ、日除けＷを複数箇所で支持する。但し、各日除け吊り具１は、それぞれ同様の構成からなるため、以下の説明では一の日除け吊り具１について説明する。
【００１７】
日除け吊り具１は、サッシＳに着脱可能に取り付けられるベース部１１と、ベース部１１から片持ち状に延設されたアーム部１２と、アーム部１２に連設されたフック部１３と、を備えている。なお、以下の説明では、日除け吊り具１が、サッシＳの上枠Ｓ１に屋外側に向けて取り付けられた状態を例にして説明する。また、以下の説明では、日除け吊り具１のうち、屋外側を前方、室内側を後方という場合がある。
【００１８】
ベース部１１は、断面視において上方に向けて開口するＵ字状を呈し、その内側に上枠Ｓ１が収容可能とされている。ベース部１１の前板２１には、締結部材２２が螺合されるねじ孔２３が幅方向に間隔をあけて一対配設されている。ベース部１１は、上枠Ｓ１を収容した状態で、締結部材２２が締め付けられることで、締結部材２２と後板２４との間に上枠Ｓ１を挟持する。なお、ベース部１１は、後板２４に形成された貫通孔２５に図示しない締結部材を通して上枠Ｓ１に直接取り付けることも可能である。
アーム部１２は、上述した前板２１の上端部のうち、幅方向の中央部から前方に向けて直線状に延設されている。
【００１９】
フック部１３は、断面視において上方に向けて開口するＪ字状を呈し、その基端部がアーム部１２の前端部に片持ち状に連設されている。フック部１３は、日除けＷの上部骨材Ｗ１が内側に引っ掛けられ、日除けＷを吊り下げ支持する。具体的に、フック部１３は、アーム部１２の前端部から下方に向けて延設された下方延設部３１と、下方延設部３１の下端縁から後方に向けて延設された後方延設部３２と、後方延設部３２の後端縁に連設され、上方に向けて延びる立ち上がり部３３と、を有している。なお、図示の例において、フック部１３のうち、下方延設部３１は下方に向かうに従い後方に向けて傾斜している。また、立ち上がり部３３は、後方に向かうに従い上方に向けて傾斜して延在した後、さらに上方に向けて延在している。
【００２０】
ここで、アーム部１２とフック部１３との間には、フック部１３との間に日除けＷの挿入口３０を形成するとともに、挿入口３０を開閉するストッパ部４１が配設されている。ストッパ部４１は、断面視でＬ字状を呈する板ばねである。具体的に、ストッパ部４１は、アーム部１２に連結される連結部４２と、連結部４２に連設され、立ち上がり部３３の先端部に向けて付勢されたばね部４３と、を有している。
【００２１】
連結部４２は、アーム部１２の下面に沿って前後方向に延設されるとともに、アーム部１２にリベット４４等を介して連結されている。なお、図示の例において、連結部４２の先端部（前端部）は、上述した立ち上がり部３３の先端縁よりも前方に位置している。
【００２２】
ばね部４３は、連結部４２の先端部から下方に向かうに従い後方に向けて延在し、連結部４２との連結部分を起点にして厚さ方向（前後方向）に弾性変形可能とされている。この場合、ばね部４３は、先端部が立ち上がり部３３の先端縁に最も近接（又は当接）する閉位置と、立ち上がり部３３の先端縁から離間する開位置と、の間を弾性変形するとともに、閉位置に向けて付勢されている。なお、ばね部４３の先端縁と、立ち上がり部３３の先端縁と、の間に形成される隙間が、上述した挿入口３０を構成している。すなわち、フック部１３は、日除けＷの取付部Ｗ１が挿入口３０を通して後方から挿入されることで、その内側で取付部Ｗ１を保持する。
【００２３】
また、本実施形態では、閉位置において、ばね部４３の先端縁は立ち上がり部３３の先端縁との間に取付部Ｗ１が通過しない程度の隙間をあけて配置されている。これにより、ばね部４３の変形時におけるばね部４３と立ち上がり部３３との干渉を抑制し、挿入口３０に対して前方及び後方へのばね部４３の変形を許容している。但し、ばね部４３の先端部が、フック部１３の内側又は外側において、立ち上がり部３３の先端部よりも下方に位置し、前後方向から見た平面視で立ち上がり部３３の先端部と重なり合っても構わない。
【００２４】
［作用］
次に、上述した日除け吊り具１の作用を説明する。
まず、日除け吊り具１をサッシＳの上枠Ｓ１に取り付ける。具体的には、ベース部１１の内側に上枠Ｓ１を進入させた状態で、締結部材２２を締め付ける。これにより、上枠Ｓ１がベース部１１内で締結部材２２と後板２４との間に挟持されることで、日除け吊り具１がサッシＳに取り付けられる。
【００２５】
次に、フック部１３内に日除けＷの取付部Ｗ１を引っ掛ける。具体的には、アーム部１２の下面と立ち上がり部３３の先端縁との間を通して日除けＷの取付部Ｗ１をフック部１３内に向けた挿入方向に押し込むと、ストッパ部４１のばね部４３が開方向（図示の例では前方）に向けて押し込まれる。すると、ばね部４３が連結部４２との連結部分を起点に後方に弾性変形することで、ばね部４３と立ち上がり部３３との間の隙間が押し広げられる。これにより、ばね部４３が開位置に移行して挿入口３０が開放される。そして、取付部Ｗ１がフック部１３内に進入し、フック部１３内に日除けＷの取付部Ｗ１が引っ掛けられる。
【００２６】
ここで、日除けＷの取付部Ｗ１が挿入口３０を通過すると（フック部１３内に進入すると）、ストッパ部４１のばね部４３が閉位置に向けて復元変形する。これにより、挿入口３０のうち、ばね部４３と立ち上がり部３３との隙間が縮小し、挿入口３０が閉塞される。以上により、日除け吊り具１の取り付け作業が完了し、日除けＷがフック部１３に吊り下げられる。
【００２７】
また、日除けＷをフック部１３から取り外す際は、例えば指等によってばね部４３を例えば前方（開方向）に向けて押し込み、ばね部４３と立ち上がり部３３との間の隙間を押し広げ、挿入口３０を開放する。この状態で、挿入口３０を通してフック部１３内から取付部Ｗ１を引き出す。これにより、日除けＷがフック部１３から取り外される。なお、ばね部４３を後方に向けて押し込み、ばね部４３と立ち上がり部３３との間の隙間を押し広げても構わない。この場合、取付部Ｗ１をフック部１３から引き出す際に、取付部Ｗ１を介してばね部４３を後方に直接押し込んでも構わない。
【００２８】
このように、本実施形態では、挿入口３０を閉塞するストッパ部４１を備えているため、フック部１３から離脱する離脱方向への日除けＷの移動をストッパ部４１（ばね部４３）により規制できる。これにより、日除けＷが強風に煽られる等した場合であっても、日除けＷがフック部１３から脱落するのを抑制できる。
また、ストッパ部４１が挿入口３０を開閉可能に変形するため、従来のように日除けＷの着脱の度に架橋部材をフック部に着脱する構成に比べて構成の簡素化を図るとともに、着脱時の操作性を向上させることができる。特に、ストッパ部４１（ばね部４３）がフック部１３の先端部に向けて付勢されているため、日除けＷの取付部Ｗ１を挿入方向に向けて押し込むだけでストッパ部４１が開位置に移動し、取付部Ｗ１が挿入口３０を通過した後、ストッパ部４１が自動的に閉位置に復元することになる。そのため、操作性の更なる向上を図ることができる。
【００２９】
また、本実施形態では、フック部１３とストッパ部４１とを別部材で構成することで、フック部１３の構成材料に依存せずにストッパ部４１の構成材料を選択できる。そのため、ストッパ部４１の設計の自由度を向上させ、ばね部４３の付勢力が調整し易くなる。
【００３０】
（第２実施形態）
次に、本発明の第２実施形態について説明する。図３は第２実施形態に係る日除け吊り具１の断面図である。なお、以下の説明では、上述した実施形態と対応する構成については、同一の符号を付して説明を省略する場合がある。
図３に示すように、本実施形態の日除け吊り具１において、立ち上がり部３３の先端部には、フック部１３内（前方）に向けて突出する突起部５０が配設されている。この突起部５０は、断面視において前方に向けて凸の半円形状を呈し、立ち上り部３３の幅方向全体に亘って延設されている。なお、突起部５０は、立ち上がり部３３の幅方向に間隔をあけて複数配設してもよく、立ち上がり部３３の幅方向における一箇所に配設してもよい。また、突起部５０は、フック部１３と一体的に形成してもよく、フック部１３と別体で形成してもよい。
【００３１】
この構成によれば、日除けＷ（取付部Ｗ１）が強風に煽られる等してフック部１３からの離脱方向に移動した場合に、突起部５０に引っ掛かることで、日除けＷの離脱方向への移動が未然に規制される。これにより、日除けＷのフック部１３からの脱落を確実に抑制できる。
【００３２】
なお、突起部５０の断面視形状は、半円形状に限らず、図４に示すような三角形状や矩形状等、種々の形状を採用することが可能である。但し、半円形状や三角形状のように、突起部５０が上下方向の中央部に向かうに従い漸次前方に向けて延在する形状とすることで、挿入口３０を通してフック部１３に対して取付部Ｗ１を着脱する際に、突起部５０の外周面に沿って取付部Ｗ１が案内され易くなる。すなわち、突起部５０が取付部Ｗ１の着脱時におけるガイドとしての機能も有することになるので、突起部５０を配設したことにより取付部Ｗ１の着脱操作が阻害されるのを抑制できる。
【００３３】
（第３実施形態）
次に、本発明の第３実施形態について説明する。図５は第３実施形態に係る日除け吊り具１の部分断面図である。なお、以下の説明では、上述した実施形態と対応する構成については、同一の符号を付して説明を省略する場合がある。
図５に示すように、本実施形態の日除け吊り具１において、フック部１３の内面（支持面）には、フック部１３の内面よりも摩擦抵抗の大きい滑り止め部材５５が配設されている。滑り止め部材５５は、例えばゴム材料からなるシート状のものであって、フック部１３の内面全体に亘って配設されている。なお、フック部１３の内面における滑り止め部材５５の配設範囲は、適宜設計変更が可能である。すなわち、滑り止め部材５５は、フック部１３の内面において、一部分に配設したり、間欠的に配設したりすることも可能である。
【００３４】
この構成によれば、フック部１３内で取付部Ｗ１を移動し難くすることができるので、日除けＷの離脱方向への移動が未然に規制される。これにより、日除けＷのフック部１３からの脱落を確実に抑制できる。
【００３５】
なお、上述した第３実施形態では、滑り止め部材５５の表面を平坦面とした場合について説明したが、これに限られない。例えば図６に示す滑り止め部材５６のように、表面に凸部５６ａを有する構成であっても構わない。また、図７に示す滑り止め部材５７のように、凸部５７ａが頂部に向かうに従いフック部１３の後方延設部３２に向けて延在する構成（取付部Ｗ１の離脱方向とは逆向きに延在する構成）としても構わない。なお、図６、図７に示す滑り止め部材５６，５７は、フック部１３と一体で形成しても、フック部１３と別体で形成しても構わない。
【００３６】
（第４実施形態）
次に、本発明の第４実施形態について説明する。図８は第４実施形態に係る日除け吊り具１の部分断面図である。なお、以下の説明では、上述した実施形態と対応する構成については、同一の符号を付して説明を省略する場合がある。
図８に示す日除け吊り具１において、フック部１３のうち下方延設部３１と立ち上がり部３３との間に、下方（フック部１３の外方）に向けて窪む保持凹部６１が形成されている。保持凹部６１は、下方に向けて凸の半円形状を呈し、取付部Ｗ１を前後方向及び下方から保持する。なお、保持凹部６１の前後方向における開口幅は、フック部１３の前後方向における開口幅よりも十分に小さく、取付部Ｗ１の厚さよりも僅かに大きくなっている。
【００３７】
この構成によれば、保持凹部６１内で取付部Ｗ１を保持することで、フック部１３内での取付部Ｗ１の位置決めを行うことができる。これにより、フック部１３内での取付部Ｗ１のがたつきを抑制し、日除けＷの離脱方向への移動を未然に規制でき、日除けＷのフック部１３からの脱落を確実に抑制できる。
【００３８】
なお、保持凹部６１の断面視形状は、半円形状に限らず、図９に示すような三角形状や矩形状等、種々の形状を採用することが可能である。但し、半円形状や三角形状のように、保持凹部６１が前後方向の中央部に向かうに従い漸次下方に向けて延在する形状とすることで、取付部Ｗ１が保持凹部６１の底部に案内し易くなる。これにより、フック部１３内での取付部Ｗ１のがたつきを確実に抑制できる。
【００３９】
（第５実施形態）
次に、本発明の第５実施形態について説明する。図１０は第５実施形態に係る日除け吊り具１の部分断面図である。なお、以下の説明では、上述した実施形態と対応する構成については、同一の符号を付して説明を省略する場合がある。
図１０に示す日除け吊り具１において、フック部１３の立ち上り部３３は、後方延設部３２の後端部から上方に向けて延設されている。立ち上がり部３３の先端部（上端部）には、フック部１３内（前方）に向けて屈曲する被係合部７１が形成されている。被係合部７１は、上方に向かうに従い前方に向けて傾斜している。
【００４０】
ストッパ部４１において、ばね部４３の先端部は、フック部１３内において立ち上り部３３の先端部よりも下方に位置し、前後方向から見て立ち上り部３３に重なり合っている。ばね部４３の先端部には、ばね部４３の変形方向で上述した被係合部７１に係合する係合部７２が形成されている。係合部７２は、下方に向かうに従い後方に向けて傾斜して延在し、被係合部７１に前方から当接している。これにより、ばね部４３と立ち上がり部３３との間に形成される挿入口３０が閉塞されている。
【００４１】
この構成によれば、ばね部４３の変形方向において、フック部１３の被係合部７１に係合する係合部７２がストッパ部４１に形成されているため、ストッパ部４１が不意に開方向に変形するのを抑制できる。これにより、日除け部Ｗがフック部１３から脱落するのを確実に抑制できる。
【００４２】
なお、上述した第５実施形態では、被係合部７１及び係合部７２において傾斜面同士を近接または当接させる構成について説明したが、これに限られない。例えば、図１１に示すように、被係合部７１を上方に向けて凸の半円形状とし、係合部７２を下方に向けて凸の半円形状とする構成とし、被係合部７１及び係合部７２の先端部同士が前後方向で噛み合う構成としても構わない。
【００４３】
（第６実施形態）
次に、本発明の第６実施形態について説明する。図１２は第６実施形態に係る日除け吊り具１の部分断面図である。なお、以下の説明では、上述した実施形態と対応する構成については、同一の符号を付して説明を省略する場合がある。
図１２に示す日除け吊り具１において、フック部１３は断面視でL字状を呈し、上述した下方延設部３１及び後方延設部３２を有している。
【００４４】
ストッパ部８２は、後方延設部３２の後端部に一体で連設され、後方延設部３２との境界部分を起点にして前後方向に弾性変形可能とされている。具体的に、ストッパ部８２は、断面視において前方に向けて凸の円弧状を呈し、下方及び上方から頂部に向かうに従い前方に向けて延在している。なお、本実施形態では、下方延設部３１とストッパ部８２との間が、フック部１３内に取付部Ｗ１を挿入するための挿入口３０を構成している。
【００４５】
本実施形態において、ストッパ部８２は、頂部が下方延設部３１に後方から最も近接（又は当接）する閉位置と、下方延設部３１から離間する開位置と、の間を弾性変形するとともに、閉位置に向けて付勢されている。
【００４６】
この構成によれば、挿入口３０を通して下方延設部３１とストッパ部８２との間に取付部Ｗ１を挿入すると、ストッパ部８２が取付部Ｗ１によって後方に向けて弾性変形することで、ストッパ部８２と下方延設部３１との間が押し広げられる。これにより、ストッパ部８２が開位置となり、挿入口３０が開放される。その後、取付部Ｗ１がストッパ部８２の頂部を通過することで、取付部Ｗ１がフック部１３（後方延設部３２）に引っ掛けられるとともに、ストッパ部８２が閉位置に向けて復元することで、挿入口３０が閉塞される。
【００４７】
このように、フック部１３とストッパ部８２とを一体的に形成することで、部品点数の削減を図ることができる。なお、図１２に示す日除け吊り具１において、アーム部１２から下方に向けて延設され、ストッパ部８２を上方から押さえ付ける押さえ部８５を配設しても構わない。この場合には、ストッパ部８２の閉位置に向けた付勢力を向上させることができる。
【００４８】
（第７実施形態）
次に、本発明の第７実施形態について説明する。図１３は第７実施形態に係る日除け吊り具１の部分断面図である。
図１３に示す日除け吊り具１において、ストッパ部９２は、後方延設部３２に連結された連結部９３と、連結部９３から連設されたばね部９４と、を有している。連結部９３は、後方延設部３２に熱溶着やリベット等を介して連結されている。
ばね部９４は、断面視において前方に向けて凸の円弧状を呈し、下方及び上方から頂部に向かうに従い前方に向けて延在している。なお、本実施形態では、下方延設部３１とばね部９４との間が、フック部１３内に取付部Ｗ１を挿入するための挿入口３０を構成している。ばね部９４は、頂部が下方延設部３１に後方から最も近接（又は当接）する閉位置と、下方延設部３１から離間する開位置と、の間を弾性変形するとともに、閉位置に向けて付勢されている。
【００４９】
この構成によれば、フック部１３にストッパ部９２を配設することで、アーム部１２にストッパ部を配設する構成に比べてストッパ部９２を小型化できる。
【００５０】
なお、上述した第７実施形態では、後方延設部３２にストッパ部９２を配設した構成について説明したが、これに限られない。例えば図１４に示すように、立ち上がり部３３にストッパ部９２を配設しても構わない。また、図１５に示すように、下方延設部３１にストッパ部９２を配設しても構わない。
【００５１】
以上、本発明の実施形態について図面を参照して詳述したが、具体的な構成はこの実施形態に限られるものではなく、本発明の要旨を逸脱しない範囲の設計変更等も含まれる。
例えば、上述した実施形態では、フック部１３が後方に向けて屈曲するＪ字状又はＬ字状を呈する構成について説明したが、これに限られない。フック部１３は後方に向けて屈曲する構成であっても構わない。例えば図１６に示すフック部１３は、アーム部１２の前端部から下方に向けて延設された下方延設部１０１と、下方延設部１０１の下端部に連設され、下方に向けて凸の円弧状を呈する円弧部１０２と、を有している。
また、図１６に示す例において、ストッパ部１１０は、下方延設部１０１に連結された連結部１１１と、連結部１１１から連設されたばね部１１２と、を有している。
【００５２】
また、上述した実施形態では、フック部１３がアーム部１２から下方に向けて延設された構成について説明したが、これに限らず、アーム部１２から上方に向けて延設されても構わない。
上述した実施形態では、アーム部１２にフック部１３が一つ配設された構成について説明したが、これに限らず、アーム部１２に複数のフック部を配設する構成であっても構わない。
上述した実施形態では、日除けＷの上部骨材Ｗ１をフック部１３に引っ掛ける構成について説明したが、これに限らず、上部骨材Ｗ１から延びる連結具や、タープのハトメ等をフック部１３に引っ掛けることも可能である。
【００５３】
上述した実施形態では、ストッパ部が弾性変形可能とされた構成について説明したが、これに限らず、ストッパ部は挿入口３０を開閉可能に変形する構成であれば構わない。この場合、例えば図１７に示す日除け吊り具１のように、ストッパ部１３０が塑性変形することで、フック部１３との間に取付部Ｗ１を挟持する構成であっても構わない。図１７に示す例において、フック部１３はアーム部１２の前端部から下方に向かうに従い後方に向けて傾斜して延設されている。
ストッパ部１３０は、フック部１３に一体で形成されるとともに、フック部１３の下端部から上方に向けて延設されている。ストッパ部１３０は、フック部１３との境界部分を起点にして前後方向に変形可能とされている。
【００５４】
このような構成においては、フック部１３とストッパ部１３０との間に形成された挿入口３０を通して、フック部１３とストッパ部１３０との間に取付部Ｗ１を挿入する（図１７中の鎖線）。その後、ストッパ部１３０を前方（フック部１３側）に向けて塑性変形させる（図１７中の実線）。これにより、ストッパ部１３０とフック部１３との間に取付部Ｗ１を挟持させることができる。すなわち、図１７に示す例では、フック部１３はストッパ部１３０と協働して取付部Ｗ１を吊り下げている。
【００５５】
その他、本発明の趣旨を逸脱しない範囲で、上述した実施形態における構成要素を周知の構成要素に置き換えることは適宜可能であり、また、前記変形例を適宜組み合わせてもよい。
【符号の説明】
【００５６】
１…日除け吊り具
１３…フック部
４１，８２，９２，１１０，１３０…ストッパ部
５０…突起部
５５，５６，５７…滑り止め部材
６１…保持凹部
【図１】
0006535948.tif 000002
【図２】
0006535948.tif 000003
【図３】
0006535948.tif 000004
【図４】
0006535948.tif 000005
【図５】
0006535948.tif 000006
【図６】
0006535948.tif 000007
【図７】
0006535948.tif 000008
【図８】
0006535948.tif 000009
【図９】
0006535948.tif 000010
【図１０】
0006535948.tif 000011
【図１１】
0006535948.tif 000012
【図１２】
0006535948.tif 000013
【図１３】
0006535948.tif 000014
【図１４】
0006535948.tif 000015
【図１５】
0006535948.tif 000016
【図１６】
0006535948.tif 000017
【図１７】
0006535948.tif 000018